(57)【要約】【課題】サラウンドシステム等の多様で複雑なスピーカー構成に対して配置を自由に行い十分な臨場感を実現し、かつ室内の床面に配線を這わすことなくアンプからスピーカーへの駆動出力を供給すること。【解決手段】壁面又は床面に設置されるスピーカー２に対し、線路２８を介して増幅出力１０２を供給するアンプ１であって、天井に設けられている商用電源給電用コンセント９に付設された被係合部への係合部材を備え、該商用電源給電用コンセント９に接続可能な電源用プラグを備えたことを特徴とする。また、アンプ１は、照明装置４０の接続が可能なコンセントを備え、またはワイヤレスまたは有線のオーディオ信号１００入力手段を備えたことを特徴とする。【選択図】    図３
2004356733.tif 000002
【特許請求の範囲】
【請求項１】
壁面又は床面に設置されるスピーカーに対し、線路を介して増幅出力を供給するアンプであって、
天井に設けられている商用電源給電用コンセントに付設された被係合部への係合部材を備え、該商用電源給電用コンセントに接続可能な電源用プラグを備えたことを特徴とするアンプ。
【請求項２】
照明装置の接続が可能なコンセントを備えることを特徴とする請求項１記載のアンプ。
【請求項３】
ワイヤレスまたは有線のオーディオ信号入力手段を備えたことを特徴とする請求項１または請求項２記載のアンプ。
【請求項４】
請求項１から請求項３のいずれかに記載のアンプと、壁面又は床面に設置されるスピーカーと、該アンプと該スピーカーとを接続するための配線とを備えたことを特徴とするオーディオシステム。
【発明の詳細な説明】
【０００１】
【発明の属する技術分野】
この発明は、天井に設置される形式のオーディオ信号増幅用のアンプ及びそのアンプを含むオーディオシステムに関する。
【０００２】
【従来の技術】
周知のように、オーディオ機器を用いて音楽等を聴く場合、プレイヤーからの音響信号をアンプで駆動用電力に変換してスピーカーに供給する必要があり、多くの場合、それらは配線で接続されている。
そのため、プレイヤー、アンプ、スピーカーを部屋の一角にまとめて配置することにより、室内空間の効率的利用や、配線が日常生活をするうえで支障にならないように配慮されている場合が多い。しかし近年、オーディオビジュアルの分野で臨場感を向上させるためのサラウンド化が進むにつれてリア・スピーカーが多く使用されるようになったことから、聴取者をはさんで室内の相対する箇所にフロント・スピーカーとリア・スピーカーを配置することなどが必要になってきており、それにともない室内配線の引き回しも複雑になっている。
リア・スピーカーに対する駆動用電力を供給にあたってはいろいろな工夫がされているが、例えば床面にケーブルを引き回すと、部屋内の美観を損ねるのに加え、日常生活のうえでも配線につまずいたり、配線の上に家具等を置くことができないため部屋の有効利用が困難になる。また、部屋内床面に配線を這わさないようにするためには、配線を迂回させて配線の長さを長くする必要があるが、そうすると音質の劣化を生じることとなる。
また、配線を省略するために、赤外線等の電磁波を用いてオーディオ信号をスピーカーに送信してスピーカー内臓のアンプで増幅するシステムも考案されているが、その場合には、別途スピーカーを駆動するための電力供給用配線が必要となり、配線が必要となる点に変わりない。また、電源配線をなくすために、電源を電池で供給する方法もあるが、電池交換が必要となり費用、手間を考えると据置型のオーディオには適していない。
また、天井に設けたアンプと同じ筐体にスピーカーを取付けて室内配線を省略する方法が考案されている（例えば、特許文献１参照。）。
【０００３】
【特許文献１】
特開平１１−２２５３８５号公報（第３−５頁、第１、２、５、１５図）
【０００４】
【発明が解決しようとする課題】
しかし、サラウンド技術により十分な臨場感を確保するためには、スピーカーの配置にあたって、複数のスピーカーを聴取者に対する所定の距離、方向を考慮した配置をする必要があり、また聴取者の目的や趣向に応じてスピーカーの仕様、サイズ等にも多様に対応することが必要である。
この点に関して、特許文献１記載の技術は、天井に設けたアンプと同じ筐体に取付けたスピーカーに直接配線して外部配線をなくしたものであるが、スピーカー同士の離隔距離の確保が困難であるうえ、スピーカーの高さが聴取者の耳の高さと大きく異なること、大型スピーカーの設置が困難であることなどから、バックグラウンドミュージックへの適用では十分であっても、サラウンドシステムに適用して十分な臨場感を得ることは困難である。
【０００５】
この発明はこのような事情を考慮してなされたもので、サラウンドシステム等の多様で複雑なスピーカー構成に対して配置を自由に行い十分な臨場感を実現し、かつ室内の床面に配線を這わすことなくアンプからスピーカーへの駆動出力を供給することができるアンプを提供することにある。
【０００６】
【課題を解決するための手段】
上記目的を達成するために、この発明は以下の手段を提案している。
請求項１記載の発明は、壁面又は床面に設置されるスピーカーに対し、線路を介して増幅出力を供給するアンプであって、天井に設けられている商用電源給電用コンセントに付設された被係合部への係合部材を備え、該商用電源給電用コンセントに接続可能な電源用プラグを備えたことを特徴とする。
【０００７】
この発明によれば、天井に設置されたアンプが外部から入力された信号を増幅して壁面または床面に設置されたスピーカーに駆動電力を供給する。
したがって、壁面または床面に所定の距離を離して、大型のスピーカーを複数配置して適切なサラウンド環境を確保するとともに、そのスピーカーに対しての駆動電力を床面に配線を這わすことなく供給することができる。
また、アンプが天井に設けられている商用電源給電用コンセントに付設された被係合部に対して係合して取付けられるため、アンプの取付が容易であり、アンプへの給電が配線を床面に這わすことなく行うことができる。
またさらに、スピーカー配線が容易となり、配線を部屋の外縁に沿って設ける場合に比べて配線長が短くできる。
【０００８】
請求項２の発明は、請求項１記載のアンプであって、照明装置の接続が可能なコンセントを備えることを特徴とする。
【０００９】
この発明によれば、アンプに照明装置を設けることができる。したがって、適正位置への照明が容易に可能となり、室内空間の利用を阻害することがない。
【００１０】
請求項３の発明は、請求項１または請求項２記載のアンプであって、ワイヤレスまたは有線のオーディオ信号入力手段を備えたことを特徴とする。
【００１１】
この発明によれば、ワイヤレスの場合にはメインアンプからアンプまでの配線が不必要となり、配線をすることなくオーディオ信号を送ることができる。
また、有線の場合には、室内にある遮蔽物等の影響を受けることなく確実にオーディオ信号を送ることができるため、家具の背面など電磁波が届きにくいような場所にもアンプへの送信部を有するメインアンプを配置することができる。
【００１２】
請求項４の発明は、オーディオシステムであって、請求項１から請求項３のいずれかに記載のアンプと、壁面又は床面に設置されるスピーカーと、該アンプと該スピーカーとを接続するための配線とを備えたことを特徴とする。
この発明によれば、天井に設置されたアンプから壁面又は床面に設置されたスピーカーに対して、その接続する配線を天井や壁面に設けて駆動電力を供給することができる。
【００１３】
【発明の実施の形態】
以下、図面を参照し、この発明の第１の実施の形態について説明する。ここで説明する実施の形態は、この発明をサラウンドスピーカー用天井アンプに適用した場合の例である。
図１から図３は、この発明によるアンプを備えたオーディオシステムを示す図であり、これらの図において、符号１はアンプ、符号２はリア・スピーカー、符号３はメイン・スピーカー、符号５はメインアンプを示している。
図１（ａ）、（ｂ）に示すように、アンプ１は、無線受信部２１、増幅出力接続端子２２、電源用プラグ２４、照明装置差込コンセント２６、アンプ筐体３０、増幅回路（図示せず）、制御回路（図示せず）等を備えている。
アンプ１は、天井に設けられた電灯用コンセント９（商用電源供給用コンセント）に機械的に着脱自在に固定されるとともに、電源用プラグ２４によって電気的に接続され電力供給を受けるようになっている。
この場合電源用プラグ２４には、本体部２４ａの先端部から側方へ突出する係合部２４ｂが形成されており、この係合部２４ｂを天井に設けられた電灯用コンセント９に差し込んで一定角度回動させた場合に、係合部２４ｂが電灯用コンセント９の被係合部（図示せず）に係合することによって、アンプ１が不用意に離脱することがないようになっている。
【００１４】
無線受信部２１は、メインアンプ５から送信される赤外線などの電磁波を搬送波としたワイヤレスオーディオ信号（アンプをコントロールする制御信号と音響信号）１００を受信するようになっている。
増幅出力接続端子２２は、オーディオ信号をアンプ１で増幅してスピーカー駆動電力１０２として出力され、スピーカー配線２８を介してリア・スピーカー２に供給されるようになっている。
照明装置差込コンセント２６は、必要に応じて照明装置４０が着脱自在に取付けられ、電灯用コンセント９から供給されブレーカ等（図示せず）を介した電力をアンプ１の制御回路等（図示せず）と並列に照明装置４０に供給するようになっている。
また、アンプ筐体３０内には、アンプ１の電気回路を構成する各種の電子部品が設けられている。
【００１５】
図２は、アンプ１を含めたオーディオシステム１０の構成を示したものであり、図３は、オーディオシステム１０の室内における配置状態を示したものである。
図２に示すように、オーディオシステム１０は、アンプ１、リア・スピーカー２、メイン・スピーカー３、メインアンプ５、プレイヤー６を備えている。
また、リア・スピーカー２は、左右のリア・スピーカー（リア・スピーカーＲ２ａ、リア・スピーカーＬ  ２ｂ）を備えていて、メイン・スピーカー３は、フロントＲスピーカー３ａ、センタスピーカー３ｂ、フロントＬスピーカー３ｃ、サブウーハ−３ｄを備えている。
メインアンプ５は、オーディオ信号１００をアンプ１の無線受信部２１に送信するための無線送信部７を備えている。
【００１６】
次に、上記の構成からなるアンプ１を備えたオーディオシステム１０の作用について説明する。
まず、このオーディオシステム１０において、アンプ１は前述したようにこの電源用プラグ２４を天井の電灯用コンセント９に差し込んで天井に設置する。さらに、照明装置差込コンセント２６に必要に応じて照明装置４０を取付ける。
さらに、オーディオシステム１０を起動させた場合には、プレイヤー６で取出された複数のオーディオ信号がメインアンプ５に入力され、メイン・スピーカー３の音響信号についてはメインアンプ５で増幅された後、それぞれ所定チャンネルのスピーカーに駆動電力１０３として供給され、メイン・スピーカー３から音を発生させる。
【００１７】
図３に示すように、リア・スピーカーの音響信号はメインアンプ５からオーディオ信号１００として出力され、無線送信部７にて変調された後に送信され、アンプ１の無線受信部２１で受信かつ復調されるとともに増幅回路で増幅され、駆動電力１０２としてスピーカー配線２８を介してリア・スピーカー２に供給され、リア・スピーカー２から音を発生させる。
したがって、このオーディオシステム１０によれば、床面に所定の距離を離してスピーカー２を配置して適切なサラウンド環境を確保するとともに、そのスピーカー２に対する駆動電力１０２を床面に配線２８を這わすことなく供給することができる。
また、アンプ１への給電用配線を床面に這わせることなくアンプ１への給電ができる。
またさらに、アンプ１を電灯用コンセント９に直接取付け、さらに、アンプ１の下部に照明装置４０を直接取付けるので、照明装置４０の取付位置が元の照明の位置とほとんど変わることなく、また、日常生活に支障をきたすことがないようにアンプ１を設置することができる。
【００１８】
図４は、この発明の第２の実施形態を示すものである。
この実施の形態が、前述した第１の実施形態と主な異なる点は、フロント・スピーカー３へのスピーカー駆動電力１０３がアンプ１を経由してスピーカー配線８を介して供給される点であり、図中の一点鎖線は配線を、破線はワイヤレス方式の経路を示している。なお、上記の実施の形態と同一の部分については、同一の符号を付し、その説明を省略する。
オーディオシステム１０によれば、スピーカー２、３への駆動出力１０２、１０３がすべてアンプ１を経由したのち、天井に設けたスピーカー配線２８、８を介して供給されるので、スピーカー配線２８、８を床面に這わさずにオーディオシステム１０を駆動させることができる。
【００１９】
図５は、この発明の第３の実施形態を示すものである。
この実施の形態が、前述した第２の実施形態と主な異なる点は、メインアンプ５からアンプ１へのオーディオ信号１００の供給が無線ではなく、配線２９を介して供給される点である。他は、上記第１又は第２の実施の形態と略同様である。
オーディオシステム１０によれば、メインアンプ５からアンプ１へのオーディオ信号１００を伝送する配線２９は壁面を通ってアンプ１に接続されるので、配線２９が床面を這うことはない。また、メインアンプ５が家具等の背面などに設置されて、無線方式であれば無線波が遮蔽されてオーディオ信号１００が伝送できないような場合であっても確実にオーディオ信号１００をアンプ１に供給してオーディオシステム１０を駆動させることができる。
【００２０】
なお、上記の実施形態については、電灯用コンセント９はローゼット等の照明装置専用コンセントでも通常の汎用コンセントでもよい。
【００２１】
【発明の効果】
この発明によれば、アンプを天井に設けスピーカーは壁面又は床面に設置するため大型のスピーカーを含めた種々のスピーカー構成、配置が容易になり、十分なサラウンド効果を確保することが可能となる。
また、スピーカー配線を天井や壁面に行うことによって床面を這わさないため、日常生活において配線につまずく等の支障をなくし、室内の美観を向上することができる。
また、スピーカー配線を天井に行い配線の長さを短くすることで音質の劣化が生じるのを防止することができる。
【図面の簡単な説明】
【図１】この発明の第１の実施の形態を示したアンプの概略構成を示す図であって、（ａ）は正面図、（ｂ）は底面図である。
【図２】この発明の第１の実施形態に係るオーディオシステムの構成を示す概略構成図である。
【図３】この発明の第１の実施形態の室内配置を示す縦断面図である。
【図４】この発明の第２の実施形態の室内配置を示す斜視図である。
【図５】この発明の第３の実施形態の室内配置を示す斜視図である。
【符号の説明】
１  アンプ；２  リア・スピーカー（スピーカー）；９  電灯用コンセント（商用電源給電用コンセント）；１０  オーディオシステム；２１  無線受信部（オーディオ信号入力手段）；２４  電源用プラグ；２４ａ  プラグ本体部；２４ｂ係合部；２６  照明装置差込コンセント（照明装置の接続が可能なコンセント）；２８  スピーカー配線（線路）；２９  配線（有線のオーディオ信号入力手段）；４０  照明装置；１００  オーディオ信号；１０２  駆動電力（増幅出力）
【図１】
2004356733.tif 000003
【図２】
2004356733.tif 000004
【図３】
2004356733.tif 000005
【図４】
2004356733.tif 000006
【図５】
2004356733.tif 000007